(57)【要約】【課題】情報機器とモバイル機器との間でデータ通信を行うことにおいてユーザの操作回数を減らす方法及びシステムを提供すること。【解決手段】モバイル機器３１０と、備えている位置捕捉センサー２０２を利用して検知したモバイル機器３１０の位置を表示し、表示された位置に対応するデータをモバイル機器３１０に伝送するか、あるいはモバイル機器３１０に格納されているデータを表示された位置に伝送するディスプレイ部２００と、ディスプレイ部２００とデータを送受信する情報機器３００と、から構成されるデータ通信遂行方法及びデータ通信遂行システムを提供する。【選択図】図４
2006197594.tif 000002
【特許請求の範囲】
【請求項１】
モバイル機器と、前記モバイル機器とデータ通信を行うディスプレイ部が外蔵になった情報機器とから構成された通信システムにおいて、前記モバイル機器と前記情報機器との間で前記データ通信を行う方法であって、
位置捕捉センサーを備えている前記ディスプレイ部が検知した前記モバイル機器の位置を前記ディスプレイ部上に表示するステップと、
前記表示された位置にあるデータを前記モバイル機器に伝送するか、あるいは前記モバイル機器に格納されているデータを前記対応する位置に伝送するステップと、を含むことを特徴とするデータ通信遂行方法。
【請求項２】
前記モバイル機器の位置は、タッチスクリーン方式または電子誘導方式を利用して把握することを特徴とする請求項１に記載のデータ通信遂行方法。
【請求項３】
前記モバイル機器に格納されているデータが前記ディスプレイ部に伝送される場合において、前記データは、前記対応する位置で示される実行プログラムを使用して開かれることを特徴とする請求項１に記載のデータ通信遂行方法。
【請求項４】
前記ディスプレイ部上の位置に対応するデータを前記モバイル機器に伝送するステップにおいて、
前記モバイル機器から指定した位置に対応するデータの要請を受けるステップと、
前記要請を受けたデータを前記情報機器に要請し、前記要請に応じてデータを受信するステップと、
前記受信したデータを前記モバイル機器に伝送するステップと、を含むことを特徴とする請求項１に記載のデータ通信遂行方法。
【請求項５】
前記要請を受けたデータを前記情報機器に要請するステップは、指定した位置に対する情報と前記指定した位置に対応するデータを要請することを特徴とする請求項４に記載のデータ通信遂行方法。
【請求項６】
モバイル機器と、
備えている位置捕捉センサーを利用して検知した前記モバイル機器の位置を表示し、前記表示された位置に対応するデータを前記モバイル機器に伝送するか、あるいは前記モバイル機器に格納されているデータを前記表示された位置に伝送するディスプレイ部と、
前記ディスプレイ部とデータを送受信する情報機器と、を含むことを特徴とするデータ通信遂行システム。
【請求項７】
前記位置捕捉センサーは、タッチスクリーンまたは電子誘導方式を利用する電子ペンであることを特徴とする請求項６に記載のデータ通信遂行システム。
【請求項８】
前記ディスプレイ部は、前記モバイル機器とデータ通信を行うためのデータ通信モジュールを備えていることを特徴とする請求項６に記載のデータ通信遂行システム。
【請求項９】
前記モバイル機器は、前記ディスプレイ部とデータ通信を行うための通信モジュールを備えていることを特徴とする請求項６に記載のデータ通信遂行システム。
【請求項１０】
前記情報機器は、前記モバイル機器に格納されているデータが前記ディスプレイ部に伝送される場合において、前記対応する位置に表示されている実行プログラムを利用して、伝送されたデータを実行することを特徴とする請求項６に記載のデータ通信遂行システム。
【請求項１１】
前記モバイル機器は、固有の識別子を利用して前記ディスプレイ部を介して前記情報機器と認証過程を行うことを特徴とする請求項６に記載のデータ通信遂行システム。
【発明の詳細な説明】
【技術分野】
【０００１】
本発明は、モバイル機器とディスプレイ上のアプリケーション間の通信に係り、特に、モバイル機器とディスプレイ上のアプリケーション間の直接通信に関する。
【背景技術】
【０００２】
パソコンから出力されるデータをユーザが認知できるよう、パソコンはデータをディスプレイ上に表示する。したがって、ユーザは表示されるデータの中で所望のデータのみがモバイル機器に伝達されるよう要請することができる。
【０００３】
図１は、従来のパソコン１００と、パソコン１００と通信を行うモバイル機器１１０を示す図である。同図に示すように、パソコン１００は、ディスプレイ１０２、入力装置１０８、制御部１０４、通信モジュール１０６を含む。一般に、ディスプレイ１０２はパソコン１００に含まれず別の装置で構成され得るが、図１は説明の便宜のため、ディスプレイ１０２がパソコン１００に含まれるものとして図示している。
【０００４】
入力装置１０８は、ユーザが必要な情報を入力するための装置である。一般に、入力装置１０８は、キーボード、マウスなどを備えてなる。また、入力装置１０８は、リモコンを使って無線で必要な情報を制御部１０４に伝達してもよい。
【０００５】
制御部１０４は、伝達された情報により所定の動作を行い、パソコン１００を構成している装置を制御するため各装置に制御命令を伝達する。ディスプレイ１０２は、制御部１０４の制御命令に応じて必要な情報を表示する。通信モジュール１０６は、制御命令に応じてモバイル機器１１０と通信を行う。通信モジュール１０６とモバイル機器１１０は、無線通信または有線通信を利用してデータを送受信する。無線通信としては、ブルートゥース、赤外線通信などを利用することができる。
【０００６】
モバイル機器１１０は、有線通信または無線通信を利用して必要なデータをパソコン１００から伝送されるか、必要なデータをパソコン１００に伝送する。すなわち、モバイル機器１１０は、パソコン１００に格納されている画像情報や音声情報が伝達されるか、あるいは格納されている画像情報や音声情報をパソコン１００に伝達する。
【０００７】
一般に、モバイル機器１１０とパソコン１００との通信は、入力装置１０８を利用して行われる。すなわち、ユーザは、パソコン１００の入力装置１０８を利用して、モバイル機器１１０からデータを伝達したり、あるいはモバイル機器１１０にデータを伝達したりする。一例として、モバイル機器１１０に格納されている画像データを、有線を介してパソコン１００に伝達する過程について説明する。
【０００８】
モバイル機器１１０に格納されている画像データをパソコン１００に伝達するため、まず、モバイル機器１１０とパソコン１００を、有線を介して連結する。一般的には、ＵＳＢケーブルを介してモバイル機器１１０とパソコン１００を連結する。パソコン１００は、該当アプリケーションに移動し、移動したアプリケーションでモバイル機器に格納されている画像データを読取る。
【０００９】
このように、モバイル機器１１０に格納されているデータをパソコン１００に伝送するか、あるいはパソコン１００に格納されているデータをモバイル機器に伝送する過程は、ユーザの入力装置１０８の操作により行われる。したがって、パソコン１００とモバイル機器１１０との間でデータ通信がパソコン１００の入力装置の操作なしに行われる方法が必要となる。
【発明の開示】
【発明が解決しようとする課題】
【００１０】
本発明は、前記のような問題に鑑みてなされたものであって、その目的はパソコンとモバイル機器との間でデータ通信を行うことにおいてユーザの操作回数を減らす方法を提供することにある。
【課題を解決するための手段】
【００１１】
前記目的を達成するため、本発明のデータ通信遂行方法は、モバイル機器と、前記モバイル機器とデータ通信を行うディスプレイ部が外蔵になった情報機器とから構成された通信システムにおいて、前記モバイル機器と前記情報機器との間で前記データ通信を行う方法であって、位置捕捉センサーを備えているディスプレイ部が検知したモバイル機器の位置をディスプレイ部上に表示するステップと、前記表示された位置にあるデータを前記モバイル機器に伝送するか、あるいは前記モバイル機器に格納されているデータを前記対応する位置に伝送するステップと、を含むことを特徴とする。
【００１２】
また、前記目的を達成するため、本発明のデータ通信遂行システムは、モバイル機器と、備えている位置捕捉センサーを利用して検知した前記モバイル機器の位置を表示し、前記表示された位置に対応するデータを前記モバイル機器に伝送するか、あるいは前記モバイル機器に格納されているデータを前記表示された位置に伝送するディスプレイ部と、前記ディスプレイ部とデータを送受信する情報機器と、を含むことを特徴とする。
【発明の効果】
【００１３】
本発明によれば、モバイル機器及び情報機器の制御命令に応じて画像を表示するディスプレイ部間の直接通信を行う方法を提供する。すなわち、モバイル機器に格納されているデータが簡単なキー操作だけで情報機器に伝送されるか、あるいは情報機器に格納されているデータが簡単なキー操作だけで伝送される。これにより、ユーザは場所に拘らず、所望のデータを送受信することができる。
また、情報機器において、ディスプレイ部のみでユーザに所望するデータを伝送することができるため、キーボード、マウス、通信ケーブルの使用によるシステムの複雑さ及び維持費を低減することができる。
【発明を実施するための最良の形態】
【００１４】
以下、添付した図面に基づいて本発明の一実施形態によるモバイル機器と、別の入力部を備える情報機器との間でデータ通信を行う方法について詳細に説明する。
【００１５】
図２は、本発明の一実施形態による別の入力部を備える情報機器を構成しているディスプレイ部を示す図である。すなわち、情報機器はデスクトップパソコンのような固定された情報機器のみならず、ノートパソコンのような携帯できる情報機器も含む。すなわち、別の入力部を備える情報機器であれば、固定された情報機器のみならず携帯できる情報機器も本発明で提供している情報機器に含まれる。また、ディスプレイ部は情報機器に含まれるか、別の装置で構成される。
【００１６】
本発明は、モバイル機器とディスプレイ部との間で直接通信を行う方法を提供する。このため、ディスプレイ部はモバイル機器と通信を行う通信モジュールを含む。図２に示すように、ディスプレイ部２００は、位置捕捉センサー２０２とデータ通信モジュール２０４を含む。
【００１７】
位置捕捉センサー２０２は、モバイル機器３１０の位置を把握する。位置捕捉センサー２０２がモバイル機器３１０の位置を把握すると、データ通信モジュール２０４が駆動する。すなわち、位置捕捉センサー２０２は、モバイル機器３１０がデータ通信モジュール２０４と直接通信を行える距離に位置しているか否かを判断する。モバイル機器３１０がデータ通信モジュール２０４と直接通信を行える距離に位置していれば、これに対する情報を制御部３０２に伝達する。一般的には、制御部３０２は情報機器３００に含まれる。
【００１８】
制御部３０２は、位置捕捉センサー２０２から情報が伝達されると、データ通信モジュール２０４が駆動するようデータ通信モジュール２０４に制御命令を伝達する。制御部３０２から制御命令を受信したデータ通信モジュール２０４は、モバイル機器３１０との通信を行うために駆動する。これにより、データ通信モジュール２０４で消耗される電力の最小化が図られる。
【００１９】
図２は、ディスプレイ部に表示されている画像を示す図である。モバイル機器３１０は、表示されている画像（データ）をキャプチャーしてモバイル機器３１０に格納するか、あるいはモバイル機器３１０に格納されているデータをディスプレイ部２００に伝送する。
【００２０】
このように、モバイル機器３１０は、表示された画像を格納するために、キャプチャーする画像に対する領域を設定し、設定した領域に対応するデータを読取る。図２に示すように、画像をキャプチャーするため始点と終点とから形成された領域を設定していることが分かる。以下、モバイル機器３１０が表示された画像をキャプチャーする方法について説明する。
【００２１】
このため、本発明は、電子ペンの原理を利用する。図３は、本発明の一実施形態によるディスプレイ部（情報機器）とモバイル機器を示す図である。
ディスプレイ部２００（情報機器３００）は、ＬＣＤ３０４（Ｌｉｑｕｉｄ  Ｃｒｙｓｔａｌ  Ｄｉｓｐｌａｙ）、電子誘導受信部３０６、制御部３０２、データ通信モジュール３０８を含む。
モバイル機器３１０は、アンテナ３２４、誘導コイル３２２、通信モジュール３２６、制御部３２０、ディスプレイ３２８、入力部３３０、メモリ３３２を含む。
本発明は、モバイル機器３１０の位置を把握するため電子ペンの原理を利用する。電子ペンは、電子誘導方式を使用する。以下、電子ペンの原理について説明する。
【００２２】
磁界を発生させる電子ペンをＬＣＤ３０４にタッチするか一定の距離に位置させると、ＬＣＤ３０４は磁気エネルギーを受けて電子ペンの位置を把握する。この場合、専用電子ペン以外の電子ペンをもっては動作しないので誤作動を防止できる。また、磁気エネルギーが通過すれば、一定の距離に位置してもＬＣＤ３０４は電子ペンの位置を検知することができる。
【００２３】
以下、図３に示しているディスプレイ部及びモバイル機器を構成している装置について説明する。
制御部３０２は、ディスプレイ部２００を構成している装置の動作を制御する。ＬＣＤ３０４は、情報機器３００から伝達されたデータを表示する。また、ＬＣＤ３０４は、モバイル機器３１０の位置に対する情報を表示する。すなわち、ＬＣＤ３０４は、カーソルなどを利用してモバイル機器３１０の位置を表示する。電子誘導受信部３０６は、モバイル機器３１０の位置を検知する。前記したように、モバイル機器３１０を構成している誘導コイル３２２から伝達された磁気エネルギーの変化を利用してモバイル機器３１０の位置を検知する。検知したモバイル機器３１０の位置に対する情報は、制御部３０２に伝達される。
【００２４】
データ通信モジュール３０８は、モバイル機器３１０とデータ通信を行う。すなわち、ＬＣＤ３０４に表示されているデータをモバイル機器３１０に伝達するか、あるいはモバイル機器３１０に格納されているデータをディスプレイ部２００に伝達する。情報機器３００は、ディスプレイ部２００の一般の動作を制御する。
【００２５】
モバイル機器３１０のアンテナ３２４は、他のモバイル機器とデータを送受信するか基地局とデータを送受信する。誘導コイル３２２は、一定の磁界を発生させる。これにより、電子誘導受信部３０６は磁界の変化量を利用してモバイル機器３１０の位置を把握する。ディスプレイ３２８は、制御部３２０の制御命令に応じてモバイル機器３１０で表示しようとする画像を表示する。入力部３３０は、他のモバイル機器との通信を行うため必要な情報を入力するか、他のモバイル機器に必要な情報を要請する。本発明と関連して入力部３３０は、ＬＣＤ３０４に表示されるデータをキャプチャーするか、キャプチャーしたデータを伝送するよう要請する。データのキャプチャーとデータの伝送要請は入力部３３０を構成しているキーを操作することによって行われる。メモリ３３２は、モバイル機器３１０の駆動に必要な情報を格納するか、あるいはユーザの要請に応じて画像データ、音声データなどのようなデータを格納する。通信モジュール３２６は、ディスプレイ部２００を構成しているデータ通信モジュール３０８と通信を行う。前記では、磁気エネルギーの変化量を利用してモバイル機器３１０の位置を把握する方法について説明した。
【００２６】
しかし、モバイル機器３１０の位置は磁気エネルギーの変化量のみならず、他の多様な方法を通じて把握できる。一例として、タッチスクリーン方式を利用して、すなわち、モバイル機器３１０がＬＣＤ３０４と接触することによって、ＬＣＤ３０４は、モバイル機器３１０が接触した位置を把握することができる。この場合、ＬＣＤ３０４は、モバイル機器３１０の接触を検知することができる。一般的なタッチスクリーン方式としては、抵抗膜（Ｒｅｓｉｓｔｉｖｅ）方式、赤外線（Ｉｎｆｒａｒｅｄ）方式、超音波（Ｕｌｔｒａｓｏｎｉｃ  ｗａｖｅ）方式、静電容量（Ｃａｐａｃｉｔｉｖｅ）方式などがある。
【００２７】
抵抗膜方式は、２枚の導電板（導電性コーティングフィルム、導電性コーティングガラス）を使って手やペンなどの圧力が加えられた時に発生する電気的接触を通じて位置を把握する。赤外線方式は、赤外線信号を発生させる発光素子と、発生した赤外線信号を受信する受光素子と、から構成された赤外線センサーが外部物体による赤外線信号の短絡の有無を利用して外部物体の位置を把握する。超音波方式は、タッチパネル表面に超音波振動子を使って超音波を微細な間隔で発振させて、受信側がこの超音波を受信することによって位置を検知する。例えば、手や音波を吸収する物体がタッチパネル表面にタッチされると、振動子から発振された超音波の一部が物体に吸収され、残りの量だけが受信側に受信される原理を利用して物体の位置を検知する。静電容量方式は、タッチパネル表面に電荷を充電させ、充電された電荷量の変化を通じて位置を検知する。つまり、電荷量に反応する導電体のみで選択的に検知する。
なお、前記以外にも、多様な方式でモバイル機器３１０の位置を把握することができることはいうまでもない。
【００２８】
図４は、本発明の一実施形態によるモバイル機器とディスプレイ部との間で直接データ通信を行う過程を示す図である。以下、図４に基づいてモバイル機器３１０とディスプレイ部２００との間で直接データ通信を行う過程について説明する。特に、同図はモバイル機器３１０に格納されているデータをディスプレイ部２００に伝達する過程を示している。
【００２９】
ディスプレイ部２００は、位置捕捉センサー２０２を駆動し（Ｓ４００）、データ通信モジュール２０４を駆動する（Ｓ４０２）。モバイル機器３１０は、ディスプレイ部２００に近接する（Ｓ４０４）。前記したことと異なって、図４には、モバイル機器３１０がディスプレイ部２００に近接する前に、データ通信モジュール２０４が駆動されることが示されているが、データ通信モジュール２０４の駆動時点はユーザの設定に応じて変更され得ることは前記した通りである。
【００３０】
そして、ディスプレイ部２００は、モバイル機器３１０の位置を検知（捕捉）する（Ｓ４０６）。モバイル機器３１０の位置が検知されることによって、ディスプレイ部２００は、検知したモバイル機器３１０の位置に対する情報をＬＣＤ３０４に表示する。モバイル機器３１０は、ディスプレイ部２００にデータを伝送する（Ｓ４０８）。ディスプレイ部２００は、伝送されたデータを情報機器３００に伝送する（Ｓ４１０）。情報機器３００は、アプリケーション（実行プログラム）を利用して伝達されたデータを実行する（Ｓ４１２）。
【００３１】
例えば、モバイル機器３１０がディスプレイ部２００に表示された音声再生に関する実行プログラムの位置した状態で音声データを伝送すると、情報機器３００は音声再生に関する実行プログラムを利用して、伝達された音声データを実行（再生）する。また、モバイル機器３１０が表示された画像再生に関する実行プログラムの位置した状態で画像データを伝送すると、情報機器３００は画像再生に関する実行プログラムを利用して、伝達された画像データを実行（表示）する。すなわち、当該実行プログラムは既に起動されており、当該位置にモバイル機器３１０を近接させ、音声データや画像データを伝送することで、そのデータの内容を実行（音声の再生や画像の表示）する。この場合、モバイル機器３１０に伝送するデータを選択する過程が先行されなければならない。下記［表１］は、モバイル機器３１０のメモリ３３２に格納されているデータの一例を表している。
【００３２】
【表１】
2006197594.tif 000003
【００３３】
このような過程を行うことによって、ユーザは別に実行プログラムを読取る過程なしにモバイル機器３１０に格納されている音声データや画像データを実行することができる。すなわち、簡単なキー操作だけでモバイル機器３１０に格納されているデータを情報機器３００に格納されている実行プログラムを利用してディスプレイ部２００上で実行することができる。
【００３４】
また、モバイル機器３１０は、送受信するデータの重要度に応じて認証過程を先行する。すなわち、モバイル機器３１０に格納されている認証に関するデータをディスプレイ部２００に伝送することによって、モバイル機器３１０と情報機器３００との認証過程が行われる。
これにより、重要度の高いデータに対しては認証過程を行うことでデータの保安性を高め、重要度の低いデータに対しては認証過程を行わないことでデータ送受信の効率を高めることができる。
【００３５】
図５は、本発明の一実施形態によるディスプレイ部とモバイル機器との間で直接データ通信を行う過程を示す図である。特に、同図は、情報機器３００に格納されているデータをモバイル機器３１０に伝達する過程を示している。
ディスプレイ部２００は、位置捕捉センサー２０２を駆動するとともに（Ｓ５００）、ディスプレイ部２００は、データ通信モジュール２０４を駆動する（Ｓ５０２）。モバイル機器３１０は、ディスプレイ部２００に近接する（Ｓ５０４）。前記したことと異なって、図５は、図４と同様にモバイル機器３１０がディスプレイ部２００に近接する前に、データ通信モジュール２０４が駆動されることが示されているが、データ通信モジュール２０４の駆動時点は、ユーザの設定に応じて変更され得ることは前記した通りである。
【００３６】
ディスプレイ部２００は、モバイル機器３１０の位置を検知（捕捉）する（Ｓ５０６）。モバイル機器３１０の位置が検知されることによって、ディスプレイ部２００は検知したモバイル機器３１０の位置に対する情報をＬＣＤ３０４に表示する。モバイル機器３１０は、ＬＣＤ３０４に表示された情報を利用してキャプチャーするデータの表示されている領域を指定する（Ｓ５０８）。モバイル機器３１０は、キャプチャー信号をディスプレイ部２００に伝送する（Ｓ５１０）。キャプチャー信号は、キャプチャーされた領域に対応するデータを要請する信号である。ディスプレイ部２００は、キャプチャー信号を情報機器３００に伝送する（Ｓ５１２）。また、ディスプレイ部２００は、Ｓ５０８ステップで指定した領域に対する情報をＳ５１２ステップで同時に伝送する。
【００３７】
情報機器３００は、指定した領域に該当するデータを抽出する（Ｓ５１４）。情報機器３００は、抽出したデータをディスプレイ部２００に伝送する（Ｓ５１６）。ディスプレイ部２００は、伝達されたデータをモバイル機器３１０に伝送する（Ｓ５１８）。このような過程を行うことによって、モバイル機器３１０は所望のデータを獲得することができる。
【００３８】
図３は、１つのモバイル機器３１０とディスプレイ部２００との通信を行うことと示しているが、少なくとも２つのモバイル機器３１０とディスプレイ部２００との通信を行うことができる。この場合、各モバイル機器３１０は独立的にディスプレイ部２００との通信を行う。
また、情報機器３００は、ディスプレイ部２００と直接通信を行えるモバイル機器３１０に対する固有の情報を格納することができる。したがって、少なくとも２つのモバイル機器３１０からデータ通信の要請を受ける場合、格納されている情報に基づいて優先順位を決める。
【００３９】
本発明は、前記した特定の実施形態に限定されるものではない。実際、当業者であれば、前記の説明に基づいて、特許請求の範囲に記載されている本発明の技術的範囲を逸脱することなく、本発明の実施形態に対して種々の変更及び修正を施すことが可能であろう。従って、そのような変更及び修正は当然に、本発明の技術的範囲に含まれるべきである。
【図面の簡単な説明】
【００４０】
【図１】データ通信を行うためのモバイル機器とパソコンの構成を示す図である。
【図２】本発明の一実施形態によるディスプレイ部の構成を示す図である。
【図３】本発明の一実施形態によるディスプレイ部とモバイル機器の構成を示す図である。
【図４】本発明の一実施形態によるディスプレイ部とモバイル機器との間でデータ通信を行う過程を示す図である。
【図５】本発明の一実施形態によるディスプレイ部とモバイル機器との間でデータ通信を行う過程を示す他の図である。
【符号の説明】
【００４１】
２００  ディスプレイ部
２０２  位置捕捉センサー
２０４  データ通信モジュール
３００  情報機器
３０２  制御部
３０４  ＬＣＤ
３０６  電子誘導受信部
３０８  データ通信モジュール
３１０  モバイル機器
３２０  制御部
３２２  誘導コイル
３２４  アンテナ
３２６  通信モジュール
３２８  ディスプレイ
３３０  入力部
３３２  メモリ
【図１】
2006197594.tif 000004
【図２】
2006197594.tif 000005
【図３】
2006197594.tif 000006
【図４】
2006197594.tif 000007
【図５】
2006197594.tif 000008